(57)【要約】      （修正有）【課題】道路幅方向の作業空間を小さくでき、かつピットの外周面に防水シートを貼ることのできるガス導管用遮断バルブピットの構築方法を提供する。【解決手段】ガス導管１に沿う方向の両側に矢板を打設し、上端部に腹起材を設置してピット用の溝３を掘削する工程と、掘削された溝の底に底部を形成する工程と、矢板の内側に壁面を形成する工程と、底部及び壁面に防水シートを貼り付ける第１防水シート貼付工程と、既設のガス導管に接続される配管を保持した有底枠状の鉄筋籠を溝内に設置する工程と、設置した鉄筋籠の内側及び鉄筋籠の外側であってガス導管直交面に型枠を設置して鉄筋籠にコンクリートを打設する型枠設置及びコンクリート打設工程と、型枠を撤去する工程と、構築されたピットの外周壁におけるガス導管直交面に防水シートを貼り付ける第２防水シート貼付工程とを備えたことを特徴とする。【選択図】図１
2015059371.tif 000002
【特許請求の範囲】
【請求項１】
ガス導管に沿う方向の両側に矢板を打設して、該矢板の上端部に腹起材を設置してピット用の溝を掘削する溝掘削工程と、掘削された溝の底に底部を形成する底部形成工程と、掘削された溝における前記矢板の内側に壁面を形成する壁面形成工程と、前記底部及び前記壁面に防水シートを貼り付ける第１防水シート貼付工程と、前記既設のガス導管に接続される配管を保持した有底枠状の鉄筋籠を前記溝内に設置する鉄筋籠設置工程と、設置した前記鉄筋籠の内側及び前記鉄筋籠の外側であって前記ガス導管直交面に型枠を設置して前記鉄筋籠にコンクリートを打設する型枠設置及びコンクリート打設工程と、前記型枠を撤去する型枠撤去工程と、構築されたピットの外周壁における前記ガス導管直交面に防水シートを貼り付ける第２防水シート貼付工程とを備えたことを特徴とするガス導管用遮断バルブピットの構築方法。
【請求項２】
前記矢板の内側に形成する壁面の材料として発泡プラスチック系材料を用いることを特徴とする請求項１に記載のガス導管用遮断バルブピットの構築方法。
【発明の詳細な説明】
【技術分野】
【０００１】
本発明は、例えば道路下などの地中に埋設された既設のガス導管にガス遮断バルブを設けるためのピットを構築するガス導管用遮断バルブピットの構築方法に関する。
【背景技術】
【０００２】
地中に埋設されている既設のガス導管に遮断バルブを設ける場合、ガス導管を予め遮断して、ピット用の溝を掘り、該溝にコンクリートによってガス導管用遮断バルブピット（以下、単に「ピット」という場合あり）を構築し、該ピット内に遮断バルブを設けるようにする。
【０００３】
ピット内に設置する遮断バルブがアクチュエータによって作動する自動制御弁の場合、ピット内に水が浸入するのを防止するためピットを防水構造にする必要がある。
ピットを防水構造にしたものとして、例えば特許文献１の「ガス遮断用バルブの防護ピット」には、ピットの内面に沿って防水シートを貼る技術が提案されている。
【先行技術文献】
【特許文献】
【０００４】
【特許文献１】実公平７−７３８９号公報
【発明の概要】
【発明が解決しようとする課題】
【０００５】
特許文献１のように、防水シートをピットの内面に貼った場合、地中の水がピットの壁面から浸み込み、水圧が防水シートの外側から作用するので、防水シートがめくれてしまい十分な防水効果が得られないという問題がある。
他方、防水シートをピットの外周面に貼った場合には、地下の水圧で防水シートがピットの外周面に押し付けられ、ピットの壁面からの水の浸入が防止される。
したがって、防水シートはピットの外周面に貼る必要がある。
【０００６】
一般的に、ピットを現地で構築して、構築されたピットの外周面に防水シートを貼る場合には、ピットの外周面の外側に作業スペースを確保する必要がある。
ところが、ガス導管は道路下に埋設されている場合が多く、道路幅方向には大きな作業空間を取ることができない。何故なら、道路幅方向に大きな作業空間を取ることになると、一般国道の場合には、２車線を通行止めにすることになり、車の迂回による周辺住民の生活への影響、緊急車両の到着の遅れ、輸送時間増加に伴う経済的損失、渋滞による排気ガスの排出量増加等、社会的影響が甚大となるからである。
【０００７】
本発明はかかる課題を解決するためになされたものであり、道路幅方向の作業空間を小さくでき、かつピットの外周面に防水シートを貼ることのできるガス導管用遮断バルブピットの構築方法を提供することを目的としている。
【課題を解決するための手段】
【０００８】
（１）本発明に係るガス導管用遮断バルブピットの構築方法は、ガス導管に沿う方向の両側に矢板を打設して、該矢板の上端部に腹起材を設置してピット用の溝を掘削する溝掘削工程と、掘削された溝の底に底部を形成する底部形成工程と、掘削された溝における前記矢板の内側に壁面を形成する壁面形成工程と、前記底部及び前記壁面に防水シートを貼り付ける第１防水シート貼付工程と、前記既設のガス導管に接続される配管を保持した有底枠状の鉄筋籠を前記溝内に設置する鉄筋籠設置工程と、設置した前記鉄筋籠の内側及び前記鉄筋籠の外側であって前記ガス導管直交面に型枠を設置して前記鉄筋籠にコンクリートを打設する型枠設置及びコンクリート打設工程と、前記型枠を撤去する型枠撤去工程と、構築されたピットの外周壁における前記ガス導管直交面に防水シートを貼り付ける第２防水シート貼付工程とを備えたことを特徴とするものである。
【０００９】
（２）また、上記（１）に記載のものにおいて、前記矢板の内側に形成する壁面の材料として発泡プラスチック系材料を用いることを特徴とするものである。
【発明の効果】
【００１０】
本発明においては、掘削された溝における前記矢板の内側に壁面を形成する壁面形成工程と、底部及び前記壁面に防水シートを貼り付ける第１防水シート貼付工程とを有することによって、溝に設置された鉄筋籠にコンクリートを打設したときにコンクリート外側面に防水シートが貼付されるようにしたので、ピットにおけるガス導管に沿う方向の面に防水シートを貼り付けるに際して大きな作業空間を必要とせず、それ故に一般道路の下方にガス導管が埋設されている場合であっても、片側通行止めで対応することができる。
また、ピット用の溝を掘削する作業と溝に設置する有底枠状の鉄筋籠を製作する作業を同時に並行して行えるため、現地工事期間を大幅に短縮することもできる。
【図面の簡単な説明】
【００１１】
【図１】本発明の一実施の形態に係るガス導管用遮断バルブピットの構築方法を概説する説明図である。
【図２】本発明の一実施の形態に係るガス導管用遮断バルブピットの構築方法の各工程の説明図であって、溝掘削工程を説明する説明図である。
【図３】本発明の一実施の形態に係るガス導管用遮断バルブピットの構築方法の各工程の説明図であって、底部形成工程の説明図である。
【図４】本発明の一実施の形態に係るガス導管用遮断バルブピットの構築方法の各工程の説明図であって、壁面形成工程の説明図である。
【図５】本発明の一実施の形態に係るガス導管用遮断バルブピットの構築方法の各工程の説明図であって、第１防水シート貼付工程の説明図である。
【図６】本発明の一実施の形態に係るガス導管用遮断バルブピットの構築方法の各工程の説明図であって、鉄筋籠設置工程の説明図である。
【図７】本発明の一実施の形態に係るガス導管用遮断バルブピットの構築方法に用いる鉄筋籠の説明図であって、フレームと配管のみを示した図である。
【図８】本発明の一実施の形態に係るガス導管用遮断バルブピットの構築方法に用いる鉄筋籠の説明図である。
【図９】本発明の一実施の形態に係るガス導管用遮断バルブピットの構築方法に用いる鉄筋籠の説明図であって、フレームと配管のみを示した図である。
【図１０】本発明の一実施の形態に係るガス導管用遮断バルブピットの構築方法に用いる鉄筋籠の説明図であって、配管の取付部の詳細を説明する図である。
【図１１】本発明の一実施の形態に係るガス導管用遮断バルブピットの構築方法の各工程を説明する図であって、型枠設置及びコンクリート打設工程における外型枠を設置した状態の平面図である。
【図１２】図１１の矢視Ａ−Ａ断面図である。
【図１３】本発明の一実施の形態に係るガス導管用遮断バルブピットの構築方法の各工程を説明する図であって、型枠設置及びコンクリート打設工程における鉄筋籠の底部にコンクリートを打設した状態を示す図である。
【図１４】本発明の一実施の形態に係るガス導管用遮断バルブピットの構築方法の各工程を説明する図であって、型枠設置及びコンクリート打設工程における内型枠を設置した状態を示す図である。
【図１５】図１４の矢視Ａ−Ａ断面図である。
【図１６】本発明の一実施の形態に係るガス導管用遮断バルブピットの構築方法の各工程を説明する図であって、型枠設置及びコンクリート打設工程における鉄筋籠の周壁部にコンクリートを打設した状態を示す図である。
【図１７】本発明の一実施の形態に係るガス導管用遮断バルブピットの構築方法の各工程を説明する図であって、型枠撤去工程を説明する平面図である。
【図１８】図１７の矢視Ａ−Ａ断面図である。
【図１９】本発明の一実施の形態に係るガス導管用遮断バルブピットの構築方法の各工程を説明する図であって、頂版を形成した状態を示す図である。
【図２０】本発明の一実施の形態に係るガス導管用遮断バルブピットの構築方法の各工程を説明する図であって、第２防水シート貼付工程を説明する平面図である。
【図２１】配管の取付部の詳細を説明する説明図である。
【図２２】本発明の一実施の形態に係るガス導管用遮断バルブピットの構築方法の各工程を説明する図であって、第２防水シート貼付工程の細部の処理を説明する図である。
【図２３】本発明の一実施の形態に係るガス導管用遮断バルブピットの構築方法の各工程を説明する図であって、頂版に防水シートを貼り付けた状態を示す図である。
【発明を実施するための形態】
【００１２】
ガス導管用遮断バルブピットは、図１に示すように、地中に埋設されている既設のガス導管１におけるピット構築位置の両側に相当する位置を掘削し（図１（ａ）参照）、掘削した位置においてガス導管１を遮断し（図１（ｂ）参照）、遮断されたガス導管１の間にピット用の溝３を掘削してコンクリート製のガス導管用遮断バルブピット５を構築し、その内部に遮断弁７を設置する（図１（ｃ）参照）。
【００１３】
本発明の特徴は、コンクリート製のピットを構築する工程にあるので、図１（ａ）、（ｂ）の前処理工程後の各工程について説明する。なお、ガス導管１が道路下に埋設されている場合、ガス導管１の軸方向は車の走行方向となり、かかる方向は溝の掘削に関して大きな制限がなく、十分な作業空間を取って一般的な作業を行うことができるので、以下の説明では詳細な説明を省略している。
【００１４】
本実施の形態のガス導管用遮断バルブピットの構築方法は、既設のガス導管１を遮断する等の前処理工程を行った後、ガス導管１に並行に矢板を打設して、ピット用の溝３を掘削する溝掘削工程と、掘削された溝３の底に底部を形成する底部形成工程と、掘削された溝３における前記矢板の内側に壁面を形成する壁面形成工程と、底部及び壁面に防水シートを貼り付ける第１防水シート貼付工程と、既設のガス導管１に接続される配管を保持した有底枠状の鉄筋籠を溝３内に設置する鉄筋籠設置工程と、設置した鉄筋籠の内側及び鉄筋籠の外側であってガス導管直交面に型枠（外型枠、内型枠）を設置して鉄筋籠にコンクリートを打設する型枠設置及びコンクリート打設工程と、型枠を撤去する型枠撤去工程と、構築されたピットの外周壁におけるガス導管直交面に防水シートを貼り付ける第２防水シート貼付工程とを備えたものである。
以下、各工程を図面に基づいて詳細に説明する。
【００１５】
＜溝掘削工程＞
溝掘削工程はピット用の溝３を掘削する工程であり、具体的には、図２に示すように、既設のガス導管１に沿う方向の両側に矢板９を打設して、矢板９の上端部に腹起材１１、切梁材１３を設置してピット用の溝３を掘削する工程である。
本実施の形態では、ガス導管に沿う方向の作業空間は狭くてよいため、対向する矢板９の間隔は、構築するピットの幅に腹起材１１の幅を加えた程度でよく、一般道路の片側車線以下でよい。
【００１６】
＜底部形成工程＞
底部形成工程は、図３に示すように、掘削された溝３の底に砕石１５を敷きつめ、その上に均しコンクリート１７を打設して溝３の底部１９を形成する工程である。
【００１７】
＜壁面形成工程＞
壁面形成工程は、図４に示すように、掘削された溝３における矢板の内側に壁面２１を形成する工程である。形成された壁面２１は、第１防水シート貼付工程において防水シート２３を支持するための支持部材として機能すると共に、鉄筋籠２７にコンクリートを打設する際の型枠としても機能する。さらに、打設されたコンクリート壁面と矢板との隙間を埋める部材としても機能する。
このような機能を兼ね備える壁面２１の材料としては、ＥＰＳ（Expanded Poly-Styrene）等の発泡プラスチック系材料を用いることが望ましい。発泡プラスチック系材料であれば、木材のように腐ることがなく、長期に亘って強度を保持できるからである。
ＥＰＳで壁面２１を形成する場合、所定の大きさのＥＰＳの矩形片を矢板９に貼り付けるようにする。
【００１８】
上記のように、矢板９の内側に壁面２１を形成し、該壁面２１を、防水シート支持部材、型枠及び隙間を埋める部材として機能させたことで、ガス導管直交方向すなわち道路幅方向には作業員が入って作業するための作業空間が不要となる。また、従来技術での管と並行な面の型枠を外す作業や防水シートを貼るための足場を設置・撤去する作業が減ることで、作業の効率化を実現できる。
【００１９】
＜第１防水シート貼付工程＞
第１防水シート貼付工程は、図５に示すように、底部１９及び壁面２１に防水シート２３を貼り付ける工程である。具体的には、防水シート２３を底部１９及び壁面２１に接着剤で貼り付ける。
防水シート２３を壁面２１に貼り付けるのは、後に打設されるコンクリートの壁面を覆うことを目的として、その前処理として防水シート２３を支持するものである。
したがって、第１防水シート貼付工程では、防水シート２３は壁面２１に接着剤等でしっかりと貼り付けることを必須とするものではなく、コンクリートが打設されたときにコンクリートと壁面２１との間に防水シート２３が挟まれるような状態で支持できればよい。
【００２０】
＜鉄筋籠設置工程＞
鉄筋籠設置工程は、図６に示すように、既設のガス導管１に接続される配管２５を保持した有底枠状の鉄筋籠２７を溝３内に設置する工程である。なお、鉄筋籠２７を設置するに際して、防水シート２３を養生するために底部１９に鉄板２４を載置するのが好ましい。
鉄筋籠２７は、図７に示すように、直方体状の枠部材２９に配管２５を保持させた状態で、図８に示すように枠部材２９に鉄筋３１を配筋したものであり、あらかじめ地上で製作しておけばよい。
枠部材２９の形状は、溝３の大きさに合わせて設定すればよく、例えば図９に示すように、図７のものよりも幅が大きくて長さが短いものでもよい。
なお、配管２５は、図９に示すように、中央で切断して切断したそれぞれを枠部材２９の外方に移動させ、間に遮断バルブ７（図１参照）を設置するようにしてもよいし、あるいは最初から配管２５の中央に遮断バルブ７を設置するためのスペースを設けておくようにしてもよい。
配管２５を支持する支持部には、図１０に示すように、配管２５を保護する保護板３３と、止水板３５とが設けられている。
【００２１】
＜型枠設置及びコンクリート打設工程＞
型枠設置及びコンクリート打設工程は、設置した鉄筋籠２７の内側及び鉄筋籠２７の外側であってガス導管直交面に型枠を設置して前記鉄筋籠２７にコンクリートを打設する工程である。
具体的には、図１１、図１２に示すように、鉄筋籠２７の外側であってガス導管直交面に外型枠３７を設置し、図１３に示すように、鉄筋籠２７の底の部分にコンクリートを打設してピット底部３９を形成する。
次に、図１４、図１５に示すように、鉄筋籠２７の内側面に沿って内型枠４１を設置し、図１６に示すように、鉄筋籠２７の周壁の部分にコンクリートを打設して、ピット周壁部４３を形成する。
【００２２】
＜型枠撤去工程＞
型枠撤去工程は、打設したコンクリートが固化した後、外型枠３７及び内型枠４１を撤去する工程である。外型枠３７及び内型枠４１を撤去した状態が図１７、図１８に示されている。図１７、図１８に示すように、防水シート２３が矢板９の内側に形成した壁面２１とコンクリート壁面との間に挟まれて、コンクリートの外壁面を覆う。
【００２３】
型枠撤去工程の後、鉄筋籠２７に保持させている配管２５に遮断弁７や該遮断弁７を遠隔操作するアクチュエータ等の取付を行い、さらに配管２５と既設のガス導管１との接続を行う。
その後、図１９に示すように、別途製作していたピットの頂版４５を頂部に設置して、ピットの全周囲を形成するコンクリート壁が完成する。
【００２４】
＜第２防水シート貼付工程＞
第２防水シート貼付工程は、図２０に示すように、構築されたピットの外周壁におけるガス導管直交面に防水シート２３を貼り付ける工程である。防水シート２３の貼り付けに際しては、図２１に示すように、配管２５の外周面に防食ゴムシート４７を貼り付けて、防水シート２３が防食ゴムシート４７の一部を覆うようにするのが好ましい。
また、図２２に示すように、ピット底部におけるガス導管直交面おいて、防水シート２３が重なるようにするのが好ましい。
第２防水シート貼付工程の後、図２３に示すように、ピットの頂版４５にも防水シート２３を貼り付ける。
【００２５】
以上のように、本実施の形態においては、既設のガス導管１に並行に打設した矢板９の内面に防水シート２３を貼り付けるための壁面２１を形成し、壁面２１に防水シート２３を貼付した状態でコンクリートを打設するようにしたので、ガス導管１に直交する側すなわち道路幅方向には型枠設置や防水シート貼付のための作業空間を設ける必要がない。そのため、道路の片側の通行止めでの作業を実現することができる。また、ピット用の溝を掘削する作業と溝に設置する有底枠状の鉄筋籠を製作する作業を同時に並行して行えるため、現地工事期間も大幅に短縮できる。
このように、本実施の形態によれば、道路の通行止めを片側のみにすることに加えて、片側の通行止めの時間も短くすることができ、周辺住民の生活への影響、緊急車両の到着の遅れ、輸送時間増加に伴う経済的損失、渋滞による排気ガスの排出量増加等の社会的影響を最小限に抑えることが可能となる。
【符号の説明】
【００２６】
１  ガス導管
３  溝
５  ガス導管用遮断バルブピット
７  遮断弁
９  矢板
１１  腹起材
１３  切梁材
１５  砕石
１７  均しコンクリート
１９  底部
２１  壁面
２３  防水シート
２４  鉄板
２５  配管
２７  鉄筋籠
２９  枠部材
３１  鉄筋
３３  保護板
３５  止水板
３７  外型枠
３９  ピット底部
４１  内型枠
４３  ピット周壁部
４５  頂版
４７  防食ゴムシート
【図１】
2015059371.tif 000003
【図２】
2015059371.tif 000004
【図３】
2015059371.tif 000005
【図４】
2015059371.tif 000006
【図５】
2015059371.tif 000007
【図６】
2015059371.tif 000008
【図７】
2015059371.tif 000009
【図８】
2015059371.tif 000010
【図９】
2015059371.tif 000011
【図１０】
2015059371.tif 000012
【図１１】
2015059371.tif 000013
【図１２】
2015059371.tif 000014
【図１３】
2015059371.tif 000015
【図１４】
2015059371.tif 000016
【図１５】
2015059371.tif 000017
【図１６】
2015059371.tif 000018
【図１７】
2015059371.tif 000019
【図１８】
2015059371.tif 000020
【図１９】
2015059371.tif 000021
【図２０】
2015059371.tif 000022
【図２１】
2015059371.tif 000023
【図２２】
2015059371.tif 000024
【図２３】
2015059371.tif 000025